(57)【要約】【課題】水槽と緩衝材の接触部とが接触する際の摩擦音を防止もしくは低減する。【解決手段】洗濯水を溜める水槽２と、水槽２内に回転可能に設けた洗濯兼脱水槽３と、洗濯兼脱水槽３を回転駆動するモータ５と、水槽２を防振ダンパにて揺動自在に弾性支持した洗濯機筐体１と、洗濯機筐体１に設けられ水槽２と洗濯機筐体１との衝突時の衝撃を緩和する緩衝材１２を備え、緩衝材１２は、衝撃を緩和する弾性部１４と、水槽２と接触する接触部１３と、弾性部１４の一側面を洗濯機筐体１の内部に固定する接着部１５とを有し、衝突の際に水槽２と弾性部１４とが直接接触しない構成としたので、摩擦音を防止もしくは低減することができるようになる。【選択図】図１
2014012060.tif 000002
【特許請求の範囲】
【請求項１】
洗濯水を溜める水槽と、前記水槽内に回転可能に設けた洗濯兼脱水槽と、前記洗濯兼脱水槽を回転駆動するモータと、前記水槽を防振ダンパにて揺動自在に弾性支持した洗濯機筐体と、前記洗濯機筐体に設けられ前記水槽と前記洗濯機筐体との衝突時の衝撃を緩和する緩衝材を備え、前記緩衝材は、衝撃を緩和する弾性部と、前記水槽と接触する接触部と、前記弾性部の一側面を前記洗濯機筐体の内部に固定する接着部とを有し、前記衝突の際に前記水槽と前記弾性部とが直接接触しない構成とした洗濯機。
【請求項２】
前記接触部は、前記接着部と対向する面に設けた主接触部と、前記接着部から立ち上がる前記弾性部の側壁の一部を覆う側壁接触部とを有する請求項１に記載の洗濯機。
【請求項３】
前記接触部は、前記接着部と対向する面に設けた主接触部と、前記弾性部の外方へ主接触部を延伸した延伸接触部とを有する請求項１に記載の洗濯機。
【請求項４】
前記弾性部は、前記接着部に対し傾斜する傾斜面を有し、前記傾斜面は、前記延伸接触部の端部と接着部の端部とを接続する請求項３に記載の洗濯機。
【発明の詳細な説明】
【技術分野】
【０００１】
本発明は回転ドラム内で洗濯、すすぎ、脱水などの各行程を逐次制御する洗濯機に関するものである。
【背景技術】
【０００２】
従来、この種の洗濯機は、水槽と洗濯機筐体が接触する際の衝突音が小さくなるように、洗濯機筐体に緩衝材としてスポンジを用いて水槽が衝突と衝突の衝撃と衝突音を防いでいる。
【０００３】
図４および図５は、従来の縦型洗濯機の構成を示したものであり、図６は、図４および図５に示す緩衝材１２の部品構成、図７は、水槽と緩衝材との接触状態を示している。
【０００４】
緩衝材１２の弾性部１４には主にスポンジが用いられ、緩衝材１２と水槽２とが衝突する際に接触する表面の材料として、接触部１３にはフェルトを用いることで水槽と緩衝材の接触音を小さくし、振動を吸収する構造となっていた。また、このような構成以外にシート状の音響放射効率が低い材料を用いて騒音を低減するものが提案されている。（特許文献１参照）。
【０００５】
図７（ａ）に示すように、水槽２と緩衝材１２が接触しない場合には、緩衝材１２は当然のことながら特に変形しない。図７（ｂ）に示すように、水槽２と緩衝材１２との接触が大きくなり緩衝材１２が変形し始めると、接触部１３が弾性部１４に対し横方向に位置がずれ、さらに変形が大きくなると、図７（ｃ）に示すように、水槽２と弾性部１４とが接触してしまう。
【０００６】
接触部１３は滑りが良く摩擦音が発生しにくいが、弾性部１４は摩擦係数が大きいので、水槽２と弾性部１４とが接触すると大きな摩擦音が発生することがある。
【先行技術文献】
【特許文献】
【０００７】
【特許文献１】特開平２−２９５５９２号公報
【発明の概要】
【発明が解決しようとする課題】
【０００８】
しかしながら、前記従来の構成では、水槽２と緩衝材１２が接触した際に、緩衝材１２の変形により、水槽２と弾性部１４とが接触しその摩擦音で大きな音がすることがあった。
【０００９】
また、弾性部１４が水槽２と接触することで、弾性部１４が磨耗し、緩衝材１２の弾性力が維持できないことがあった。
【００１０】
本発明は、前記従来の課題を解決するもので、水槽２と接触部１３とが接触する際の摩擦音を防止もしくは低減する洗濯機を提供することを目的とする。
【課題を解決するための手段】
【００１１】
上記目的を達成するために、本発明の洗濯機は、洗濯水を溜める水槽と、前記水槽内に回転可能に設けた洗濯兼脱水槽と、前記洗濯兼脱水槽を回転駆動するモータと、前記水槽を防振ダンパにて揺動自在に弾性支持した洗濯機筐体と、前記洗濯機筐体に設けられ前記
水槽と前記洗濯機筐体との衝突時の衝撃を緩和する緩衝材を備え、前記緩衝材は、衝撃を緩和する弾性部と、前記水槽と接触する接触部と、前記弾性部の一側面を前記洗濯機筐体の内部に固定する接着部とを有し、前記衝突の際に前記水槽と前記弾性部とが直接接触しない構成としたものである。
【００１２】
これによって水槽と緩衝材とが接触する際に、緩衝材が変形しても、水槽と弾性部とが直接接触しないようになり、摩擦音を防止もしくは低減することができるようになる。
【発明の効果】
【００１３】
本発明によれば、水槽と弾性部とが直接接触しないようにすることで、水槽と緩衝材とが接触する際の摩擦音を防止もしくは低減することができる。また、弾性部が磨耗しないので、緩衝材の弾性力を絶えず維持できるようになる。
【図面の簡単な説明】
【００１４】
【図１】（ａ）本発明の実施形態１の緩衝材の断面図、（ｂ）本発明の実施形態１の水槽と緩衝材の接触の位置関係図
【図２】（ａ）本発明の実施形態２の緩衝材の断面図、（ｂ）本発明の実施形態２の水槽と緩衝材の接触の位置関係図
【図３】（ａ）本発明の実施形態３の緩衝材の断面図、（ｂ）本発明の実施形態３の水槽と緩衝材の接触の位置関係図
【図４】従来例および本発明の実施の形態における洗濯機の縦断面図
【図５】同、ベルトを介して洗濯兼脱水槽を駆動する洗濯機の縦断面図
【図６】従来例における洗濯機の緩衝材の断面図
【図７】（ａ）従来例における水槽と緩衝材が接触しない場合の位置関係図、（ｂ）同、水槽と接触部が接触した場合の位置関係図、（ｃ）同、水槽と弾性部が接触した場合の位置関係図
【発明を実施するための形態】
【００１５】
第１の発明は、洗濯水を溜める水槽と、前記水槽内に回転可能に設けた洗濯兼脱水槽と、前記洗濯兼脱水槽を回転駆動するモータと、前記水槽を防振ダンパにて揺動自在に弾性支持した洗濯機筐体と、前記洗濯機筐体に設けられ前記水槽と前記洗濯機筐体との衝突時の衝撃を緩和する緩衝材を備え、前記緩衝材は、衝撃を緩和する弾性部と、前記水槽と接触する接触部と、前記弾性部の一側面を前記洗濯機筐体の内部に固定する接着部とを有し、前記衝突の際に前記水槽と前記弾性部とが直接接触しない構成としたことにより、水槽と緩衝材とが接触する際の摩擦音を防止もしくは低減することができる。また、弾性部が磨耗しないので、緩衝材の弾性力を絶えず維持できるようになる。
【００１６】
第２の発明は、特に、第１の発明の接触部は、前記接着部と対向する面に設けた主接触部と、前記接着部から立ち上がる前記弾性部の側壁の一部を覆う側壁接触部とを有するようにしたことにより、確実に、水槽と緩衝材とが接触する際の摩擦音を防止もしくは低減することができる。また、弾性部が磨耗しないので、緩衝材の弾性力を絶えず維持できるようになる。
【００１７】
第３の発明は、特に、第１の発明の接触部は、前記接着部と対向する面に設けた主接触部と、前記弾性部の外方へ主接触部を延伸した延伸接触部とを有するようにしたことにより、簡単な構成で、水槽と緩衝材とが接触する際の摩擦音を防止もしくは低減することができる。また、弾性部が磨耗しないので、緩衝材の弾性力を絶えず維持できるようになる。
【００１８】
第４の発明は、特に、第３の発明の弾性部は、前記接着部に対し傾斜する傾斜面を有し
、前記傾斜面は、前記延伸接触部の端部と接着部の端部とを接続するようにしたことにより、簡単な構成で、水槽と緩衝材とが接触する際の摩擦音を防止もしくは低減することができる。また、弾性部が磨耗しないので、緩衝材の弾性力を絶えず維持できるようになる。
【００１９】
以下、本発明の実施の形態について、図面を参照しながら説明する。なお、従来例と同じ構成のものは同一符号を付して説明を省略する。この実施の形態によって本発明が限定されるものではない。
【００２０】
（実施の形態１）
本発明の実施の形態における洗濯機の縦断面図については、従来例と同様なので図４を用いて説明する。また、本発明の実施の形態における洗濯機の緩衝材の断面図については、図１を用いて説明する。
【００２１】
図１（ａ）は緩衝材１２の構成を示す断面図で、緩衝材１２は主にスポンジからなる弾性部１４と、弾性部１４の一側面には洗濯機筐体１の内部に接着し固定するための接着部１５、弾性部１４の他の側面には水槽２が回転時に振動する際に接触する接触部１３がそれぞれ設けられている。
【００２２】
接触部１３は、接着部１５と対向する面に設けられた主接触部１３１を有しており、また、弾性部１４の接着部１５から立ち上がる側壁１７の一部にも、主接触部１３１と同じ材質からできた側壁接触部１３２を有している。
【００２３】
接触部１３は表面が滑らかな樹脂材料からできており、樹脂材料はフェルトなどに比べて一般的に摩擦力は低く、摩擦係数が低い素材ほど好ましい。接触部１３は、水槽２との接触によって簡単に剥がれないように弾性部１４と接着されている。
【００２４】
接触部１３とスポンジからなる弾性部１４を接着する接着剤は、洗濯機の使用寿命の回数以上に水槽と接触させても接触部１３が弾性部１４から剥がれ落ちないように、接触部１３と弾性部１４と接着剤との組み合わせを好適に選択すればよい。
【００２５】
図１（ｂ）は、水槽２と緩衝材１２との接触状態を示す図を示しており、水槽２と緩衝材１２との接触により緩衝材１２が変形し、変形が大きくなると、主接触部１３１だけでなく、側壁接触部１３２が水槽２と接触するようになる。
【００２６】
このように、緩衝材１２の変形が大きくなっても、水槽２と弾性部１４とが直接接触することなく、水槽２と接触部１３だけが接触するようにできる。従って、摩擦音を低減することができる。また、弾性部１４が水槽２と接触しないので、弾性部１４が磨耗しないので、緩衝材１２の弾性力は絶えず維持できるようになる。
【００２７】
図４において洗濯機筐体１は、４本の防振ダンパ６により水槽２を弾性支持している。洗濯兼脱水槽３と攪拌手段４は、水槽２内に回転自在に配設している。モータ（駆動手段）５により、洗濯兼脱水槽３と攪拌手段４を駆動している。モータ（駆動手段）５が洗濯兼脱水槽３を駆動する他の構成として、図５に示すようにベルト１６を介して洗濯兼脱水槽３を駆動するものもある。
【００２８】
給水手段９は水槽２内に洗濯水を給水し、給水された水槽２内の水位を水位検知手段１１にて検知する。排水手段１０は水槽２内の洗濯水を排水するものである。
【００２９】
制御装置７は洗濯機筐体１の背面後部に設けられ、洗濯機筐体１の前面上部に設けられ
た操作表示手段８により入力された設定内容に基づいて、洗い、すすぎ、脱水、乾燥の各行程を逐次制御するもので、モータ５、給水手段９、排水手段１０などを駆動する。制御装置７の位置については操作表示手段８と同様に、洗濯機筐体１の前面上部に設ける場合もある。
【００３０】
以上のように構成された洗濯機について以下その動作、作用を説明する。
【００３１】
洗濯兼脱水槽３内に衣類と洗剤を投入後、操作表示手段８を操作して運転を開始する。運転が開始されると、給水手段９が動作し、水槽２内に洗濯水が供給されると共に洗濯兼脱水槽３が回転を開始する。
【００３２】
規定量の洗濯水が供給されたことを水位検知手段１１によって検知すると給水が停止する。洗濯兼脱水槽３の回転によって、洗剤は洗濯水に溶かされ、洗濯液となって衣類に浸透する。洗濯兼脱水槽３と攪拌手段４によって衣類を攪拌させ衣類を互いにこすりつけるこすり洗いを規定時間行う。
【００３３】
洗濯終了後、排水手段１０が動作し、汚れを溶かし込んだ洗濯水は、水槽２の外に排水される。排水終了後、洗濯兼脱水槽３を高速で回転する脱水工程に入る。洗濯物の偏り状態や、洗濯工程における衣類を攪拌する力、脱水工程における脱水回転の回転数などの影響を受け、洗濯行程中や脱水行程中に水槽２が大きく前後左右に揺れることがある。
【００３４】
緩衝材１２を設置しているので、水槽２の揺れが大きくても、洗濯機筐体１に水槽２が直接接触することはなく衝突は回避される。このとき、水槽２は緩衝材１２と接触することになるが、水槽２と緩衝材１２との接触が大きくなり緩衝材１２が変形し、変形が大きくなると、主接触部１３１だけでなく、側壁接触部１３２が水槽２と接触するようになる。
【００３５】
このように、緩衝材１２の変形が大きくなっても、水槽２と弾性部１４とが接触することなく、水槽２と接触部１３がいつも接触するようにできるので、摩擦音を低減することができる。また、弾性部１４が水槽２と接触しないので、弾性部１４が磨耗せず、緩衝材１２の弾性力は絶えず維持できるようになる。
【００３６】
（実施の形態２）
図２（ａ）は緩衝材１２の構成を示す断面図で、緩衝材１２は主にスポンジからなる弾性部１４と、弾性部１４の一側面には洗濯機筐体１の内部に接着するための接着部１５、弾性部１４の他の側面には水槽２が回転時に振動する際に接触する接触部１３がそれぞれ設けられている。
【００３７】
接触部１３は、接着部１５と対向する面に設けられた主接触部１３１を有しており、また、弾性部１４の外方へ主接触部１３１を延伸した延伸接触部１３３を有している。
【００３８】
図２（ｂ）は、水槽２と緩衝材１２との接触状態を示す図を示しており、水槽２と緩衝材１２との接触により緩衝材１２が変形し、変形が大きくなると、主接触部１３１だけでなく、延伸接触部１３３が水槽２と接触するようになる。
【００３９】
このように、緩衝材１２の変形が大きくなっても、水槽２と弾性部１４とが接触することなく、水槽２と接触部１３だけが接触するようにできる。従って、摩擦音を低減することができる。また、弾性部１４が水槽２と接触しないので、弾性部１４が磨耗せず、緩衝材１２の弾性力は絶えず維持できるようになる。
【００４０】
本実施例においては、延伸接触部１３３は主接触部１３１に対して片側へ延伸したが、両側へ延伸しても良い。
【００４１】
（実施の形態３）
図３（ａ）は緩衝材１２の構成を示す断面図で、緩衝材１２は主にスポンジからなる弾性部１４と、弾性部１４の一側面には洗濯機筐体１の内部に接着するための接着部１５、弾性部１４の他の側面には水槽２が回転時に振動する際に接触する接触部１３がそれぞれ設けられている。
【００４２】
接触部１３は、接着部１５と対向する面に設けられた主接触部１３１を有しており、また、接着部１５の外方へ主接触部１３１を延伸した延伸接触部１３３を有している。延伸接触部１３３は、主接触部１３１に対して両側へ延伸している。弾性部１４は、接着部１５に対し傾斜する傾斜面１４１を有しており、延伸接触部１３３の端部と接着部１５の端部とを滑らかに接続している。
【００４３】
図３（ｂ）は、水槽２と緩衝材１２との接触状態を示す図を示しており、水槽２と緩衝材１２との接触により緩衝材１２が変形し、変形が大きくなると、主接触部１３１だけでなく、延伸接触部１３３が水槽２と接触するようになる。
【００４４】
このように、緩衝材１２の変形が大きくなっても、水槽２と弾性部１４とが接触することなく、水槽２と接触部１３だけが接触するようにできる。従って、摩擦音を低減することができる。また、弾性部１４が水槽２と接触しないので、弾性部１４が磨耗せず、緩衝材１２の弾性力は絶えず維持できるようになる。
【００４５】
なお、本実施の形態においては、洗濯機筐体１に緩衝材１２を接着により設け、水槽２と緩衝材１２とが接触するように構成したが、これに限らず、水槽２に緩衝材１２を接着により設け、洗濯機筐体１と緩衝材１２とが接触するように構成しても同様の効果を得ることができる。
【産業上の利用可能性】
【００４６】
以上のように、本発明にかかる洗濯機は洗濯機筐体１と水槽２との衝突を緩和するための緩衝材１２の接触部１３の形状を工夫することで水槽２が弾性部１４に接触しないようにしたので、摩擦音を低減でき、洗濯機以外の回転機器の摩擦音低減にも応用可能である。
【符号の説明】
【００４７】
１  洗濯機筐体
２  水槽
３  洗濯兼脱水槽
５  モータ
１２  緩衝材
１３  接触部
１４  弾性部
１５  接着部
【図１】
2014012060.tif 000003
【図２】
2014012060.tif 000004
【図３】
2014012060.tif 000005
【図４】
2014012060.tif 000006
【図５】
2014012060.tif 000007
【図６】
2014012060.tif 000008
【図７】
2014012060.tif 000009